(57)【要約】【技術課題】マイクロフィルムに記録されているアナログデータをＰＣを用いて閲覧したり、デジタル方式で記録したりできるようにする。【解決手段】マイクロフィルム３のアナログデータをＣＣＤカメラ６を用いて拡大撮影すると共にこのデータを画像処理装置７により取り込んでデジタルデータに変換する。その上で、このデジタルデータをＰＣ８にとり込んでディスプレー９に表示し、又は（及び）記録装置１０に記録し、又はインターネット回線を経由して他所に送信し、リアルタイムで閲覧したりすることができるようにする。【選択図】        図１
2004208194.tif 000002
【特許請求の範囲】
【請求項１】
マイクロフィルムのアナログデータをイメージリーダを用いてＰＣにとり込み、このイメージリーダで取り込んだデジタルデータをＰＣ画面で閲覧することを特徴とするマイクロフィルムに記録されたアナログデータを閲覧する方法。
【請求項２】
請求項１に記載のイメージリーダーは、イメージマウスであることを特徴とするマイクロフィルムに記録されたアナログデータを閲覧する方法。
【請求項３】
請求項１に記載のイメージリーダーは、ＣＣＤカメラであることを特徴とするマイクロフィルムに記録されたアナログデータを閲覧する方法。
【請求項４】
マイクロフィルムを繰り出すタブレットと、このタブレット上において、前記マイクロフィルムの特定の画像を撮影する小型撮影機と、前記小型撮影機で撮影された映像をデジタル信号に変換する画像情報処理装置と、前記画像処理手段で処理された画像信号を表示する表示手段と、前記画像情報処理装置で処理された画像情報を記録する画像情報記録手段と、から成るマイクロフィルムに記録されたアナログデータを閲覧する装置。
【発明の詳細な説明】
【０００１】
【発明の属する技術分野】
本発明は、マイクロフィルムに記録されているアナログデータをＰＣを用いて閲覧する方法及びその装置に関する。
【０００２】
【従来の技術】
従来のデータ保存方法は、マイクロフィルムに画像化して記録し保存するのが一般的であり、この量は、各種機関において膨大なものがある。そして、このマイクロフィルムに記録されたデータを閲覧する場合には、光学的なリーダーを用いて画像を拡大し、ディスプレー画面にこの拡大した画像をそのまま映し出し、これを見るのが一般的である。また、マイクロフィルムに記録されたデータをプリントする場合には、光学的なアナログデータをプリンターを用いて紙にプリントアウトするのが一般的である。
また、マイクロフィルムに記録されたデータをデジタル化して保存する場合には、一旦リーダーで紙にプリントアウトしたものをスキャナーを用いてスキャンしている。
【０００３】
【発明が解決しようとする課題】
このように、従来のマイクロフィルムの閲覧においては、アナログデータで保存されているために、閲覧が面倒であったり、デジタルデータ化するためにはその作業に多くの労力と時間並びに費用を消費しなければならないと云う欠点がある。
本発明は、斯る点に鑑みて提供されるものであって、その目的は、マイクロフィルムのアナログデータをＰＣを用いて閲覧することができたり、安価に、能率的にデジタルデータに変換して保存したりすることができる方法及びその装置を提供することである。
【０００４】
【課題を解決するための手段】
上記目的を達成するため、請求項１に記載の発明においては、マイクロフィルムに記録されたアナログデータを閲覧する方法において、マイクロフィルムのアナログデータをイメージリーダを用いてＰＣにとり込み、このイメージリーダで取り込んだデジタルデータをＰＣ画面で閲覧することを特徴とするものである。
【０００５】
更に、請求項２に記載の発明においては、請求項１に記載のイメージリーダーは、イメージマウスであることを特徴とするものである。
【０００６】
更に、請求項３に記載の発明においては、請求項１に記載のイメージリーダーは、ＣＣＤカメラであることを特徴とするものである。
【０００７】
更に、請求項４に記載の発明においては、マイクロフィルムに記録されたアナログデータを閲覧する装置において、マイクロフィルムを繰り出すタブレットと、このタブレット上において、前記マイクロフィルムの特定の画像を撮影する小型撮影機と、前記小型撮影機で撮影された映像をデジタル信号に変換する画像情報処理装置と、前記画像処理手段で処理された画像信号を表示する表示手段と、前記画像情報処理装置で処理された画像情報を記録する画像情報記録手段と、から成るものである。
【０００８】
【実施例】
図１に本発明に係るマイクロフィルムに記録されたアナログデータを閲覧する方法及びその装置の実施例を示す。この図１において、符号の１はタブレットであって、このタブレット１にはマイクロフィルムリール２と、このリール２から繰り出されたマイクロフィルム３を捲きとるための捲取リール４及びマイクロフィルム３に記録されているアナログデータを照明するための照明手段が主要構成部品として組み込まれている。
但し、図１において、マイクロフィルムリール２、捲取リール４、照明手段の駆動手段、制御手段及び任意に特定されたデータの読み出し手段等は省略されている。
【０００９】
６は小型撮影機としてのＣＣＤカメラであって、このＣＣＤカメラ６でマイクロフィルム３に記録されているデータを光学的に撮影し、この撮影した画像情報は画像情報処理装置７に送信される。
画像情報処理装置７では、ＣＣＤカメラ６で撮影されたアナログ画像をデジタル化し、このデジタル化した信号をＰＣ８及び記録手段１０に送信する。
ＰＣ８は、前記画像情報処理装置７で処理されたデジタル画像をそのまま、あるいは任意に加工してディスプレー９に映し出すことが可能であると共にプリンタ１１を用いてプリントアウトすることが可能である。
また、画像情報処理装置７で処理されたデジタル画像は、記録装置１０にまたはこの記録装置１０を用いてハードディスク等の記録媒体に任意に記録することができる。更に、ＰＣ８のディスプレー９に表示されているイメージは、ボタンをクリックすることにより他のＰＣに転送したりすることも可能である。
【００１０】
次に、具体的な閲覧例を説明する。
先ず、
ａ．タブレット１の電源をＯＮにする。
ｂ．ＣＣＤカメラ（３.２メガビクセル）６の電源をＯＮにする。
ｃ．ＰＣ８を起動する
ｄ．インストールした本システムアプリケーションを起動する。
ｅ．タブレット１にマイクロフィルムリール２をセットする。
ｆ．前記本システムアプリケーション画面上にマイクロフィルム３の内容が表示される。露出、ピント、トリム設定を調整して表示画像が最良の状態になるようにする。
ｇ．マイクロフィルムインデックス部分をＰＣ８のディスプレー９に表示して目的のデータのインデックスを確認する。
ｈ．タブレット１の４隅のグリッド値を参照しながら目的の位置（前記ｇで確認したインデックス値）に移動する。
ｉ．ＣＣＤカメラ６において、露出調整バーの移動露出値を調整し、黒／白調整バーの移動で黒色、白色の調整をし、ゲイン調整バーの移動で画像感度を調整する。
ｊ．名前を付けて保存アイコンするには、本システムは以下の３種類のフォーマットを用いてファイルに保存する。
ｊ−１  ＢＭＰ（ビットマップ）
ｊ−２  ＪＰＧ（Joint Photographic Experts Group）
ｊ−３  ＴＩＦＦ（タグイメージ  ビットマップ）
ｋ．自動保存アイコンにおいては、現在表示されている画像について、保存の際の名称、保存先を自動保存プロパティを参照しながら保存する。
ｌ．自動保存プロパティアイコンにおいては、自動保存を行う際の、ファイル名称、保存先ホルダを設定する。
ｍ．コピーアイコンにおいては、現在選択中のイメージをクリップボードへコピーする。クリップボードのデータは、リードファイルやメールソフトへ貼り付けることが可能である。
ｎ．印刷アイコンにおいては、現在選択中の画像をプリンタ１１で印刷する。
ｏ．こま止めアイコンにおいては、画像を現在表示している状態で静止させる。
ｐ．ライブアイコンにおいては、ＣＣＤカメラ６からの画像をリアルタイムで表示する。
ｑ．白黒反転アイコンにおいては、画像を白黒反転して表示する。この設定は画像の保存、プリンタ１１で印刷時にも有効である。但し、こま止め中のみ選択可能である。
ｒ．左右反転アイコンにおいては、画像を左右反転して表示する。この設定は画像の保存、プリンタ１１で印刷時にも有効である。但し、こま止め中のみ選択可能である。
ｓ．上下反転アイコンにおいては、画像を上下反転して表示する。この設定は画像の保存、プリンタ１１で印刷時にも有効である。但し、こま止め中のみ選択可能である。
ｔ．画像の拡大アイコンにおいては、オリジナル画像の５００％までのズーム処理が可能である。ズームアイコンをクリックするとズーム・バーが表示される。バーの移動でズーム率を調整することができる。ズーム処理した画像を保存、プリンタ１１で印刷することが可能である。但し、こま止め中のみ選択可能である。
ｕ．範囲指定アイコンにおいては、この機能により画像のエリアを選択することが可能である。選択したエリアのイメージの保存、コピー、プリンタ１１で印刷が可能である。但し、こま止め中のみ選択可能である。
ｖ．シャープ化アイコンにおいては、読みにくいマイクロフィルム３の文字をシャープ化して表示する。この場合、こま止め中のみ選択可能である。
ｗ．設定リセットアイコンにおいては、本システムカメラコントロールがリセットされて、設定がデフォルト値に戻る。
【００１１】
【発明の効果】
本発明は、以上のように、マイクロフィルムに記録されているアナログデータをＣＣＤカメラ等で映像化し、この映像をデジタル化したのち、ＰＣ画面上において閲覧したり、プリントアウトしたり、記録装置あるいは記録媒体に記録することによって、閲覧を手軽に行うことができると共にアナログデータをデジタルデータに変換する手続、費用の軽減を図ることができる。
また、インターネット回線を利用してのデータ送信が可能になる。
【図面の簡単な説明】
【図１】本発明に係るマイクロフィルムの閲覧方法及び装置の説明図。
【符号の説明】
１  タブレット
２  マイクロフィルムリール
３  マイクロフィルム
４  マイクロフィルム捲取リール
５  照明手段
６  ＣＣＤカメラ
７  画像情報処理装置
８  ＰＣ
９  ディスプレー
１０  記録装置
１１  プリンタ
【図１】
2004208194.tif 000003
【手続補正書】
【提出日】平成15年3月13日(2003.3.13)
【手続補正１】
【補正対象書類名】明細書
【補正対象項目名】０００９
【補正方法】変更
【補正の内容】
【０００９】
６は小型撮影機としてのＣＣＤカメラであって、このＣＣＤカメラ６でマイクロフィルム３に記録されているデータを光学的に撮影し、この撮影した画像情報は画像情報処理装置７に送信される。
画像情報処理装置７では、ＣＣＤカメラ６で撮影されたアナログ画像をデジタル化し、このデジタル化した信号をＰＣ８及び記録手段１０に送信する。
ＰＣ８は、前記画像情報処理装置７で処理されたデジタル画像をそのまま、あるいは任意に加工してディスプレー９に映し出すことが可能であると共にプリンタ１１を用いてプリントアウトすることが可能である。
また、画像情報処理装置７で処理されたデジタル画像は、記録装置１０に、またはハードディスク等の記録媒体に任意に記録することができる。更に、ＰＣ８のディスプレー９に表示されているイメージは、ボタンをクリックすることにより他のＰＣに転送したりすることも可能である。


【手続補正２】
【補正対象書類名】図面
【補正対象項目名】図１
【補正方法】変更
【補正の内容】
【図１】
2004208194.tif 000004